(57)【要約】      （修正有）【課題】従来の通気層付き断熱複合パネルにはない防水性能向上があり、目地部分の防水性能向上を果たした通気層付き断熱複合パネル及びその製造方法を提供する。【解決手段】通気層付き断熱複合パネル１の通気層５を構成する通気層用突起３に、通気層内に浸入した漏水の移動経路を調整できる突起排水路３Ａを設けると共に、通気層付き断熱複合パネル１の四周木口面に現れる通気層用突起３の切断面に、水溜まりを防止する外周排水路６を設けることで、防水性能を向上できるようにするものである。【選択図】図６
2005188050.tif 000002
【特許請求の範囲】
【請求項１】
防水性を向上させるに好適な突起排水路を有する通気層用突起を、断熱板と外装板の界面に配して通気層を構成したことを特徴とする通気層付き断熱複合パネル。
【請求項２】
通気層用突起を断熱板と外装板の界面に配して通気層を構成したものにおいて、当該断熱板と外装板の四周木口面に現れる通気層用突起の切断面に、防水性を向上させるに好適な外周排水路を設けたことを特徴とする通気層付き断熱複合パネル。
【請求項３】
防水性を向上させるに好適な突起排水路を有する通気層用突起を、断熱板と外装板の界面に配して通気層を構成したものにおいて、当該断熱板と外装板の四周木口面に現れる通気層用突起の切断面に、防水性を向上させるに好適な外周排水路を設けたことを特徴とする通気層付き断熱複合パネル。
【請求項４】
請求項１ないし請求項３のいずれかに記載の通気層付き断熱複合パネルを用いて、建築物の外壁躯体に通気層付き断熱複合パネルを、当該通気層付き断熱複合パネルにおける相互の通気層の通気及び排水の連続性を保持する状態で張り付けることで防水性能の向上を図るよう構成されていることを特徴とする外断熱工法。
【発明の詳細な説明】
【技術分野】
【０００１】
本発明は外断熱工法及び外張断熱工法で使用するに好適な防水性を有する通気層付き断熱複合パネルと、このパネルを用いた通気層工法併用の外断熱工法及び外張断熱工法に関するものである。
詳しくは、断熱板と外装板を、防水性、排水性向上に好適な形状の突起で緊結することを特徴とする、断熱板と外装板の界面に通気層を持つ断熱複合パネルを使用して、建築物の外壁に通気層工法併用の外断熱工事又は外張断熱工事を行い、防水性向上等、施工合理化を図ろうとするものである。
【背景技術】
【０００２】
従来、この種のものにあっては、下記のようなものになっている。
建築物の断熱工法には躯体・構造材の屋外側に断熱板を設ける方法がある。
一般に建築物の構造が鉄筋コンクリート造のように熱容量が大きな場合は外断熱工法と呼ばれ、木造や鉄骨造の軸組構造に施される場合は外張断熱工法と呼ばれている。
いずれも躯体・構造材を屋外側から断熱板ですっぽり覆って断熱欠損を抑え、高い断熱性能を発揮すると共に、屋外の温度変動から構造材を保護できるため、構造体の耐久性向上の観点からも、近年、普及している。（以下、外断熱工法、外張断熱工法を合わせて外断熱工法と呼ぶ）。
【０００３】
次に、木造住宅では一般的になっている通気層工法という外装板の施工方法がある。
この工法は外装板裏面にその一部が外気と連続した非密閉型空気層（通気層）を設け、空気層内の空気が屋外空気と循環して壁体内を換気し、室内からの貫流透湿、外装板の隙間から浸入した水分等を屋外に排出して、壁体内の乾燥化を図り、壁体の結露被害を防止する防露性能を有している。
また、通気層工法は、その構成上、自動的に防水工法の基本原理である等圧工法となるため、防水性能が大きく、加えて、外装板に隙間ができ、そこから内部への漏水が発生しても、通気層内に浸入した漏水は通気層を通り、重力で下に落ちる排水性能も有している。
そして、建築物の断熱性向上、耐久性向上に優れた外断熱工法。防露性、防水性、排水性に優れた通気層工法があり、この２つを組み合わせた通気層工法併用外断熱工法が、近年、鉄筋コンクリート造でも急速に行われるようになってきている。
【０００４】
通気層工法併用外断熱工法を行う場合、その施工方法は様々であるが、その中に、主に発泡プラスチック系断熱板、外装板、通気層を一体化した通気層付き断熱複合パネル（以下、在来パネル）を躯体に取り付ける施工方法がある。
この在来パネルは、断熱板又は外装板、若しくは両方に、その隙間が通気層として機能する溝や凹凸等（以下、通気層用突起）を加工し、これらを接着等で貼り合わせて製造される。（図１、図２、図３、図４参照）「特許文献１、特許文献２、特許文献３」参照。  なお、在来パネルの構成の詳細は、図１の在来パネル１Ａにおいては、断熱板１Ａ１、外装板１Ａ２、通気層用突起１Ａ３、通気層１Ａ４であり、図２の在来パネル１Ｂにおいては、断熱板１Ｂ１、外装板１Ｂ２、通気層用突起１Ｂ３、通気層１Ｂ４であり、図３の在来パネル１Ｃにおいては、断熱板１Ｃ１、外装板１Ｃ２、通気層用突起１Ｃ３、通気層１Ｃ４であり、図４の在来パネル１Ｄにおいては、断熱板１Ｄ１、外装板１Ｄ２、通気層用突起１Ｄ３、通気層１Ｄ４である。
そして、施工方法は出来上がった構造体にビスや接着剤を使用し構造体に後張りする後張り工法と、鉄筋コンクリート造の場合に型枠材として同時打込で施工する同時打込工法の２種類が行われる。
【０００５】
【特許文献１】実開昭６１−１２５４２３号公報
【０００６】
【特許文献２】特開平１０−７１６５９号公報
【０００７】
【特許文献３】特開平５−２０９４４３号公報
【発明の開示】
【発明が解決しようとする課題】
【０００８】
背景技術で述べた在来パネルにあっては、下記のような問題点を有していた。
前記した在来パネル（図１、図２、図３、図４参照）は通気層工法を簡単に施工できるように断熱板、外装板、通気層用突起（通気層）を単純に一体化したものでしかない。そのため、通気層を設けたことによって新たに発生する通気層の排水性能に関連する防水性能上の問題点についての考慮がなされておらず、その問題点は下記に示すものである。
１．在来パネルは竣工後も風圧や土圧のような大きな外力が加わり続け、型枠兼用における施工時にはコンクリート側圧が加わる材料である。一般に在来パネルを構成する断熱板は圧縮強度が小さく、通気層を形成する通気層用突起の面積が少ないと前記の外力により断熱板が変形するため、一般に通気層用突起の面積は極端に減らすことができない。
そのため、躯体から羽出した強度の強い金属治具類で外装板を固定し、外装板と躯体の界面に通気層及び断熱層を設けるような分離施工型の外断熱工法と比較して、在来パネルは通気層用突起の面積比率が大きく、その分、外装板の目地等から通気層内に浸入して外装板裏面を伝い落ちる雨水等の漏水が、通気層用突起を伝わって躯体側へ廻る危険性が高くなる。
これは室内への漏水を発生させず、構造体を水から守るという防水工法の基本から外れる問題点である。
２．通気層内に浸入する漏水には、前記１で示した外装板の目地等から浸入するものの他、陸屋根の笠木や外部建具廻り等から浸入し、在来パネルの断熱板表面まで直接廻ってしまうものがある。
この漏水は断熱板表面を伝い落ちるため、そのままでは躯体側へ廻る危険性が高くなる。
これは室内への漏水を発生させず、構造体を水から守るという防水工法の基本から外れると共に、断熱板の材種等によって異なるが、断熱板が濡れて吸水すると断熱性能の低下を引き起こすという問題点が発生する。
３．防水の目的は、室内への漏水を起こさせないと共に、構造体を水から守ることが主である。
しかし、長期耐久性の面から外装板について考えた場合、外装板もできるだけ水に濡れないよう配慮することが望ましい。これは濡れた外装板は冬季間に凍結融解を起こす恐れがあり、凍結融解を繰り返した外装板は著しい強度低下を起こし、破壊を招く危険性が高くなるためである。
よって、外装板の目地から通気層内に浸入した漏水が外装板裏面を伝い続け、その過程で外装板が吸水を起こす状況を作らないよう工夫が必要である。
以上が在来パネル本体が持つ防水上の問題点である。
【０００９】
次に、在来パネルを実際に施工する際に、在来パネル相互の接合部（横目地、縦目地）で発生する防水上の問題点は下記に示すものであり、図１に示した在来パネル１Ａを例に、図５を用いて説明する。
４．目地のうち横目地については下記の通りである。
在来パネル１Ａの通気層１Ａ４の内部の通気は主に風圧力、外装板１Ａ２の内外の自然温度差によって上下方向に流れ、排水は主に重力によって上から下へと流れる。
そのため、通気層１Ａ４の通気性及び排水性を確保するには上下方向の連続性が必要であるため、在来パネル１Ａの横目地においても通気層の連続性を確保しなければならない。
そして、実際に横目地パネルバックアップ材１Ａ５と縦目地パネルバックアップ材１Ａ６を使用して在来パネル１Ａを施工していくが、在来パネル１Ａの四周は意匠上、割付に応じて任意の位置で切断されるため、在来パネル１Ａの四周木口の切断面に現れる通気層用突起１Ａ３の切断面が、横目地においては一定の面積がある水平切断面１Ａ７として現れる。
そのため、通気層１Ａ４の内部の任意の位置から落ちてくる漏水が通気層用突起１Ａ３の水平切断面１Ａ７に溜まる現象が発生する。
この滞留漏水１Ａ８が毛細管現象（毛管力）、風圧又は水圧によって、躯体まで連通した在来パネル１Ａの断熱板１Ａ１の横目地を通って躯体側へ廻り、防水性を損なう危険性が発生する。
５．目地のうち縦目地については下記の通りである。
一方、横目地と異なり、在来パネル１Ａの縦目地においては、在来パネル１Ａの通気層１Ａ４の相互の連続性を必ずしも確保しなくてもよいため、図５に示す、在来パネル１Ａの縦目地パネルバックアップ材１Ａ６で通気層１Ａ４を塞いで施工することも可能である。
この縦目地の納まりは、外装板１Ａ２の縦目地に施工するシーリング１Ａ９のバックアップ材として、縦目地パネルバックアップ材１Ａ６を併用することができるため施工を簡素化することができる。
しかし、任意の箇所で切断された在来パネル１Ａの左右木口面と縦目地パネルバックアップ材１Ａ６が接合する箇所には、凹部水溜り部１Ａ１０が形成される可能性があり、凹部水溜り部１Ａ１０には上部からの漏水が溜まってしまう形状となる。
そのため、当該部位に溜まった漏水が毛細管現象（毛管力）、風圧又は水圧によって、躯体まで連通した在来パネル１Ａの断熱板１Ａ１の縦目地を通って躯体側へ廻り、防水性を損なう危険性が発生する。
【００１０】
本発明は、従来の技術の有する前記１〜５の問題点に鑑みなされたものであり、外装板、通気層用突起（通気層）、断熱板が一体となった在来パネルにおいて、前記１〜３の問題点を解決するため、外装板と断熱板を繋ぐ通気層用突起を防水上好適な形状とし、且つ、前記４〜５の問題点を解決するため、在来パネルの四周木口面に現れる通気層用突起の切断面を防水上好適な形状とすることで、通気層工法で本来求められる防水性、排水性を向上させる通気層付き断熱複合パネルによる外断熱工法を提供しようとするものである。
【課題を解決するための手段】
【００１１】
請求項１記載の発明は、防水性を向上させるに好適な突起排水路を有する通気層用突起を、断熱板と外装板の界面に配して通気層を構成したことを特徴とするものである。
【００１２】
請求項２記載の発明は、通気層用突起を断熱板と外装板の界面に配して通気層を構成したものにおいて、当該断熱板と外装板の四周木口面に現れる通気層用突起の切断面に、防水性を向上させるに好適な外周排水路を設けたことを特徴とするものである。
【００１３】
請求項３記載の発明は、防水性を向上させるに好適な突起排水路を有する通気層用突起を、断熱板と外装板の界面に配して通気層を構成したものにおいて、当該断熱板と外装板の四周木口面に現れる通気層用突起の切断面に、防水性を向上させるに好適な外周排水路を設けたことを特徴とするものである。
【００１４】
請求項４記載の発明は、請求項１ないし請求項３のいずれかに記載の発明を用いて、建築物の外壁躯体に通気層付き断熱複合パネルを、当該通気層付き断熱複合パネルにおける相互の通気層の通気及び排水の連続性を保持する状態で張り付けることで防水性能の向上を図るよう構成されていることを特徴とするものである。
【発明の効果】
【００１５】
本発明は上記の通り構成されており、次に記載する効果を有する。
１．断熱板と外装板の界面に突起類を配し、突起類の相互の空隙部分を通気層として利用する通気層付き断熱複合パネルにおいて、通気層を設けるために利用される突起類を、防水性、排水性向上に好適な形状及び配列とした、突起排水路を加工した通気層用突起に改良することで、従来の通気層付き断熱複合パネルにはない防水性能向上を果たせる通気層付き断熱複合パネルを製造することができる。
２．断熱板と外装板の界面に突起類を配し、突起類の相互の空隙部分を通気層として利用する通気層付き断熱複合パネルを実際に施工する上で、通気層付き断熱複合パネルで必ず発生する四周木口の切断面に生じる突起類の切断面が目地となる場合に、目地部分に水が溜まらないよう機能する外周排水路を施すことで、従来の通気層付き断熱複合パネルにはない目地部分の防水性能向上を果たせる通気層付き断熱複合パネルを製造することができる。
３．外周排水路は特殊な加工器具を必要としない一律で加工が簡単な形状であるため、現場で通気層付き断熱複合パネルを切断してもその切断面に現れた突起類の切断面に外周排水路を現場で施すことは容易であり、現場作業性を向上させることができる。
４．通気層付き断熱複合パネルを実際に施工する場合、外装板の目地にシーリング材を施す施工方法がある。この時、通気層の目地部分に排水目地バックアップ材を使用することで、通気層付き断熱複合パネルの通気層相互の通気及び排水の連続性を確保し、且つ、シーリング材のバックアップ材とすることができる。
５．建築物の外壁に通気層工法併用の外断熱工事を行うに当たり、以上１〜４によって、通気層付き断熱複合パネルがもつ防水上の問題点が解決され、従来の通気層を持たない断熱複合パネルによって広く知られた一般的な外断熱工事と同様の納まり及び施工方法を、通気層付き断熱複合パネルでも可能にすることができる。                                                                 
【発明を実施するための最良の形態】
【００１６】
本発明は、「発明が解決しようとする課題」 の項の１〜５で指摘した問題点を解決するために、下記に示すように行う。
まず、「発明が解決しようとする課題」 の項の１〜３で指摘した問題点を解決するために、図６に示すような、通気層付き断熱複合パネル１を製造する。この通気層付き断熱複合パネル１は、断熱板２と外装板４の界面に一定の厚さで規則的に配列され、四周側面に防水性能向上に好適な突起排水路３Ａの加工を施した通気層用突起３によって通気層５は構成されている。
更に、「発明が解決しようとする課題」 の項の４〜５で指摘した問題点を解決するために、図６に示すような、通気層付き断熱複合パネル１の四周木口の切断面に発生する通気層用突起３の切断面（以下、外周突起切断面）に外周排水路６を施す。
これは当該部位が通気層付き断熱複合パネル１の相互の目地となる場合に、当該部分に水が溜まらないように機能する。なお、外周排水路６を通気層付き断熱複合パネル１の四周に一律に施す理由は、通気層付き断熱複合パネル１のようなボード状建材は実際に施工する際、左右・天地の方向性があると使いにくく、点対称形状であることが望ましいためである。
以上、防水性能向上に好適な突起排水路３Ａを施した規則的な配列の通気層用突起３によって通気層５を構成し、且つ、四周木口の外周突起切断面に外周排水路６を施した通気層付き断熱複合パネル１を用いて、鉄筋コンクリート造、組積造、軸組造などの構造の外壁に外断熱工法の工事を行うものである。
そして、通気層付き断熱複合パネル１における外壁への施工方法には、在来パネル１Ａと同様に、ビスや接着剤によって外壁に張り付ける後張り工法と、型枠材として通気層付き断熱複合パネル１を用いる同時打込工法がある。
また、外装板４の目地の違いによって、図４４に示す、通気層付き断熱複合パネル１の相互の接合部の間に横目地パネルバックアップ材７及び縦目地パネルバックアップ材８を横目地パネルバックアップ材７を勝たせて挟み込み、通気層５の相互の横目地に排水目地バックアップ材１０を挿入して、外装板４の相互の目地にシーリング材９を設ける構成の取り付け方法の他、排水目地バックアップ材１０は使用しない取り付け方法で、厚さが薄く、断熱板２と同一幅のパネルバックアップ材を用いて、通気層５の相互の連続性を確保すると共に、外装板４の相互の目地をモルタル系外装仕上材で埋めてしまう構成の取り付け方法、外周排水路６を施した外周突起切断面に溝加工を別に加工し、縦・横目地パネルバックアップ材を併用して、その溝加工部分に薄板を挟みながら通気層付き断熱複合パネル１を取り付ける、やといさね継ぎによる方法などがある。
【００１７】
次に、通気層付き断熱複合パネル１の具体的な製造方法は以下のように行う。
まず、通気層用突起３をもつ断熱板２を製造し、外装板４を貼り合わせる製造方法があり、通気層用突起３をもつ断熱板２を製造する方法には、発泡プラスチック断熱板の表面を刃物、ニクロム熱線、ルーター等によって切断又は削り落す方法、熱可塑性樹脂（発泡ポリスチレン、発泡ポリエチレン、発泡ポリプロピレン等）をあらかじめ通気層用突起３の形状が加工された金型内で型内発泡して一体で製造する方法、若しくは、発泡プラスチック断熱板を熱又は薬剤により溶融させる方法がある。
そして、以上のように製造された通気層用突起３を持つ断熱板２の通気層用突起３の表面に外装板４を接着し、通気層５を持つ通気層付き断熱複合パネル１の原板を製造する。  なお、図５１を参照して、通気層付き断熱複合パネル１の原板の製造には通気層用突起３の部材を別に製造して、断熱板２に接着して複合化する方法も考えられる。
この場合、通気層用突起３の材種は断熱板２、外装板４の材種と異なってもかまわず、通気層用突起の製造方法も、個々に射出成形する方法や、シート状の樹脂を凹凸のある金型間に挟んで圧縮成形し、多数の通気層用突起が刻設された、図５１に示すような樹脂シート１７として製造する方法も考えられる。また、断熱板２に通気層用突起３を刻設すると同様に通気層用突起３を外装板４の側に施し、断熱板２に貼り合わせることも可能である。
次に、以上のように製造した通気層付き断熱複合パネル１の原板は、施工する建物の割付図に応じて切断して、幅及び長さが確定した通気層付き断熱複合パネル１とするが、主にこの作業はパネル製造工場で行われるため、工場加工で通気層付き断熱複合パネル１の原板の四周を切断して大きさを決める際に、同時に外周排水路６の加工を行っておけば、現場で外周排水路６の加工を行う必要が無くなり効率が良い。
【００１８】
通気層付き断熱複合パネル１の構成要素である通気層用突起３の形状及び配列は下記に示すように行う。
通気層付き断熱複合パネル１は外力に抗する圧縮強度が必要なため、製品化に際して設定した想定外力と、断熱板２、通気層用突起３の材料圧縮強度の関係から、通気層付き断熱複合パネル１の見付面積に対する通気層用突起３の面積比率をまず求める必要がある。  図８、図９、図１０に示すように、通気層用突起３の大きさ及び配列は、通気層用突起３の面積比率が確保されると同時に、各通気層用突起３を規則的なサイコロの５の目状に配列して通気層付き断熱複合パネル１の点対称形状を確保し、通気及び排水層として機能する通気層用突起３の空隙部分に、上から下へ真っ直ぐ貫通した経路を作らず、通気層５の内部を流れ落ちる漏水が通気層用突起３に必ず当たる配列とする。これは、距離３Ｌ１と距離３Ｌ２において、距離３Ｌ１を、距離３Ｌ２より小さいものとすることで得られる。
そして、通気層用突起３の正面形状は正方形を角を真上に向けた形状（以下、菱形形状）である。
菱形形状の選定理由には、菱形形状が点対称形状の中でもシンプルな形状で加工しやすいこと、上部から落ちてきた漏水を溜める凹部がないこと、菱形形状の左右の角部（以下、角部３Ｌ３）が鋭角であるため、通気層用突起３に当たった漏水が通気層用突起３の上側斜面を左右方向に流れ切った後、角部３Ｌ３からほぼ直下に落下させることができる。  これにより、図８に示す、下方に向かって連続的に通気層用突起３に当たっていく漏水の移動経路３Ｌ４を明確にすることができ、突起排水路３Ａの断面形状を決定する際に必要な、漏水が通気層用突起３の上側斜面の突起排水路３Ａを流れるときの最大長さである距離３Ｌ５の大きさを特定することができる。
【００１９】
通気層用突起３の四周側面に施す突起排水路３Ａの形状と機能を、図１１に示す通気層用突起３の斜視図を使って説明する。
通気層用突起３には、点対称形状を保つため四周側面には一定断面の突起排水路３Ａが設けられている。突起排水路３Ａは通気層用突起３の四周側面に所定寸法の中央溝３Ａ１を刻設し、中央溝３Ａ１に隣接する外方突縁３Ａ２と内方突縁３Ａ３の上面は中央溝３Ａ１に向かって水勾配の斜面に構成されている。
この加工により、断熱板２の表面と外装板４の裏面（以下、垂直面）を流下してきた漏水を、外方突縁３Ａ２と内方突縁３Ａ３の上面に施された水勾配によって中央溝３Ａ１に誘導し、濡らしたくない垂直面から漏水を引き離すと共に、中央溝３Ａ１は集まった漏水を完全に垂直面から分離して正確に左右方向に流すよう機能させることができる。
【００２０】
通気層用突起３の突起排水路３Ａの中央溝３Ａ１、外方突縁３Ａ２と内方突縁３Ａ３の寸法は以下のように定める。
図８で示したように、漏水が通気層用突起３の上側斜面の突起排水路３Ａを流れるときの最大長さである距離３Ｌ５が既知であるため、垂直面を流下してきた漏水を確実に中央溝３Ａ１へ誘導できる、図１１に示す、漏水の移動経路３Ｌ４を取らせるためには、漏水が外方突縁３Ａ２と内方突縁３Ａ３の上側斜面を左右方向に距離３Ｌ５の大きさを流れ切る前に、中央溝３Ａ１へ確実に落とせる大きさの外方突縁３Ａ２及び内方突縁３Ａ３の中央溝３Ａ１に向かって設けられた斜面の水勾配と幅を求める必要がある。
なお、図１１で示した漏水の移動経路３Ｌ４が単純な幾何学的経路３Ｌ６ではなく、曲線である理由は、漏水と垂直面との間に働く吸着力に影響されるもので、この吸着力は垂直面と通気層用突起３の素材によって異なって作用するため、実際に外方突縁３Ａ２及び内方突縁３Ａ３の断面形状を決定する場合は実験等によって適宜求める必要がある。
【００２１】
次に、中央溝３Ａ１の幅の寸法は以下のように定める。
外方突縁３Ａ２及び内方突縁３Ａ３の上面の斜面を、斜面と漏水の間に働く吸着力や摩擦抵抗に抗して流れる漏水には一定以上の大きさがあると共に、水は表面張力によって凝縮しようとする性質も大きいため、中央溝３Ａ１の幅は一定以上の大きさが必要である。  また、中央溝３Ａ１の深さについては、漏水が中央溝３Ａ１から溢れなければよく、菱形形状のように左右方向に大きな水勾配がある場合は、概ね溢れる前に左右方向に流れてしまうことから比較的浅くて済むが、通気層用突起３の素材等によって変化するため、中央溝３Ａ１の幅と深さの選定も、外方突縁３Ａ２及び内方突縁３Ａ３と同様に実験等によって適宜求める必要がある。
以上、通気層付き断熱複合パネル１の構成と、防水性向上に好適な突起排水路３Ａを施した、図１２、図１３、図１４に示す通気層用突起３の配列及び形状について説明した。  これにより、予測できない位置から通気層付き断熱複合パネル１の通気層５の内部に浸入した漏水を通気層用突起３が適切に誘導し、「発明が解決しようとする課題」の項の１〜３で指摘した問題点を持たない通気層５を造ることができ、この通気層５をもつ通気層付き断熱複合パネル１を製造することができるようになる。
【００２２】
そこで、上述した防水性向上に好適な突起排水路３Ａを施した通気層用突起３の配列及び形状の他の実施例について説明する。これは、「発明が解決しようとする課題」の項で指摘した１〜３について、状況に応じてすべてを満たす必要が無い場合や、通気層用突起３の正面形状を、通気抵抗がより少ない形状としたい理由などから菱形形状以外としたい場合で用いることができ、以下に示す（１）〜（３) の場合がある。
【００２３】
（１）  第１種突起排水路３Ｂの場合
水にさらされても支障のない外装板４を通気層付き断熱複合パネル１で使用する場合、防水の基本である「発明が解決しようとする課題」の項で指摘した１〜２についての機能だけを満たせばよく、外装板４の裏面を流下する漏水を外装板４から引き離す機能が必要無くなるため、菱形形状の通気層用突起３の四周側面に施す突起排水路３Ａを、図１５、図１６、図１７に示す、第１種突起排水路３Ｂに変更することができる。
第１種突起排水路３Ｂは通気層用突起３の四周側面における内方部分に周方向に突出する突出縁３Ｂ１を設け、突出縁３Ｂ１の上面は外方に向かって水勾配の斜面に構成されており、突出縁３Ｂ１が造る段差が水返しとして機能して、「発明が解決しようとする課題」の項で指摘した１の要求する機能を満たすことができ、第１種突起排水路３Ｂを設けた通気層用突起３の配列は、突起排水路３Ａを設けた通気層用突起３の通り行えば、「発明が解決しようとする課題」の項で指摘した２の要求する機能を合わせて満たすことができる。
また、第１種突起排水路３Ｂを設けた通気層用突起３の断面形状は、外装側から見ると全体が凸形状であるため、断熱板２と一体で金型成形でも製造ができるという利点を有している。
【００２４】
（２）  第２種突起排水路３Ｃ、第３種突起排水路３Ｄ及び第４種突起排水路３Ｅの場合
通気層付き断熱複合パネル１の通気層５の内部に浸入する漏水の浸入経路が外装板４の目地に限定され、且つ、水にさらされても支障のない外装板４を通気層付き断熱複合パネル１で使用する場合、通気層５の内部の漏水は外装板４の裏面を伝い落ちる場合だけを想定すればよく、「発明が解決しようとする課題」の項で指摘した１の要求する機能だけを満たせばよい。
よって、菱形形状の通気層用突起３の四周側面に施す突起排水路３Ａの断面形状を、下記に示す、第２種突起排水路３Ｃ、第３種突起排水路３Ｄ及び第４種突起排水路３Ｅに変更することができる。
なお、この場合、通気層用突起３の配列は通気層付き断熱複合パネル１の点対称形状を維持する配列である限り、任意とすることができる。
（２）−１  第２種突起排水路３Ｃの場合
第２種突起排水路３Ｃは、図１８、図１９、図２０に示すように、菱形形状の通気層用突起３の四周側面における内方部分に周方向に突出する突出縁３Ｃ１が刻設されており、突出縁３Ｃ１によって造られる段差が水返しとして働き、「発明が解決しようとする課題」の項で指摘した１の要求する機能を果たすことができる。
（２）−２  第３種突起排水路３Ｄの場合
第３種突起排水路３Ｄは、図２１、図２２、図２３に示すように、菱形形状の通気層用突起３の四周側面に所定寸法の周方向に突出する突出縁３Ｄ１が刻設されており、突出縁３Ｄ１が水返しとして働き、「発明が解決しようとする課題」の項で指摘した１の要求する機能を果たすことができる。
なお、突出縁３Ｄ１の代わりに、菱形形状の通気層用突起３の四周側面に所定寸法の溝を刻設しても同様の効果が得られる。
（２）−３  第４種突起排水路３Ｅの場合
第４種突起排水路３Ｅは、図２４、図２５、図２６に示すように、菱形形状の通気層用突起３の四周側面が外方に向かって水勾配の斜面３Ｅ１に構成されており、外方に向かって設けられた水勾配によって、「発明が解決しようとする課題」の項で指摘した１の要求する機能を果たすことができる。
【００２５】
（３）  第２種通気層用突起３Ｆの場合
通気層用突起３の正面形状（配列も含む）に必要な性質には、まず通気層付き断熱複合パネル１が使用上の方向性を持たないよう点対称形状であることが必要であり、次に「発明が解決しようとする課題」の項で指摘した１〜３の要求する機能のうち、２及び３を果たすためには、図８で示したように、通気層用突起３の左右の角部３Ｌ３から漏水が直下に落とせるといった漏水の移動経路が特定しやすい形状であること、が必要である。
よって、菱形以外の無数にある点対称形状の正面形状においても、以上２点を兼ね備えていれば、製造上の難易度は変わるが、菱形形状に代えても支障はない。
例えば、菱形形状以外の点対称形状として、正面形状が円形の通気層用突起を考える場合、図２７、図２８、図２９、図３０に示すような、第２種通気層用突起３Ｆとすることができる。
第２種通気層用突起３Ｆは、加工自体は複雑になるが、ただの円ではなく、上下左右の端部に水切となる突起３Ｆ１を設けており、ただの円形のように左右端部が滑らかな場合に起こる通気層用突起の下半分への廻り込み現象（通気層用突起の素材と水の間の吸着力によって通気層用突起の左右端部で滴下せずに通気層用突起の下半分まで廻り込んでしまう現象）を防止し、漏水の移動経路を明確にすることができる。
このように、通気層用突起３の正面形状を菱形形状以外とする場合には、選択した正面形状の特徴に応じて、図３０で示した円形形状の第２種通気層用突起３Ｆのように、突起３Ｆ１を設けるといった、漏水の移動経路を明確にする措置が必要である。
以上、通気層付き断熱複合パネル１の通気層５を構成する防水性能向上に好適な突起排水路３Ａを四周側面に設けた通気層用突起３を説明した。
なお、通気層用突起３の形状及び配列、大きさ、厚さ等は、製造方法や通気層付き断熱複合パネル１で設定する外力の大きさや通気性能に応じ、適宜選定されるものであり、図示のものに限定されるものではない。
【００２６】
「発明が解決しようとする課題」の項の４〜５で指摘した問題点を解決するため、下記に示すように行う。
図６に示したように、通気層付き断熱複合パネル１は実際の使用に際して四周を切断され任意の大きさに加工され、その際、通気層付き断熱複合パネル１の四周木口には外周突起切断面が現れるが、当該部分には外周排水路６を加工する。
図３２、図３３に示すように、外周排水路６は通気層付き断熱複合パネル１の外周突起切断面に所定寸法の排水溝６Ａ１を刻設することで得られ、排水溝６Ａ１に隣接する所定幅の外方突縁６Ａ２及び内方突縁６Ａ３の上面は水平に構成されている。
そして、外周排水路６は通気層付き断熱複合パネル１の点対称形状を確保するため、通気層付き断熱複合パネル１の四周に現れる通気層用突起３の切断面に一律に施されている。
【００２７】
外周排水路６の横目地における防水効果を図３１を使って説明する。
通気層用突起３の水平切断面に施された外周排水路６は、排水溝６Ａ１、外方突縁６Ａ２、内方突縁６Ａ３からなり、上部から外周排水路６に至る漏水は、この３つの部位のいずれかに当たる。
この内、問題となる漏水は断熱板２及び外装板４の目地に接する外方突縁６Ａ２及び内方突縁６Ａ３の上面に至る漏水であるが、この漏水が外周排水路６の外方突縁６Ａ２及び内方突縁６Ａ３の上面に溜まろうとしても、漏水の移動経路における摩擦抵抗に抗して水平切断面にまで至った漏水には一定以上の大きさがあるため、漏水の水滴は外方突縁６Ａ２及び内方突縁６Ａ３の上面が水平であっても、外方突縁６Ａ２及び内方突縁６Ａ３の厚さが十分に薄いと外周排水路６の排水溝６Ａ１に滑り落とすことができる。
そして、上部から排水溝６Ａ１に直接滴下する漏水と共に、排水溝６Ａ１の内部に徐々に溜まっていく漏水６Ａ４は表面張力により凝縮して盛り上がろうとするが、高さのある水には重力によって、高さに比例した横方向の水圧がかかるため、通気層用突起３の素材と水との吸着性及び排水溝６Ａ１の幅に対して、排水溝６Ａ１の深さが充分に深ければ、排水溝６Ａ１から外方突縁６Ａ２及び内方突縁６Ａ３の上面に溢れ出ることなく、排水溝６Ａ１の左右端部より下方に向かって排水させることができる。
以上、外周排水路６を設けた通気層用突起３の水平切断面においては、断熱板２及び外装板４の目地と通気層用突起３の水平切断面に至る漏水の絶縁を保つことができ、「発明が解決しようとする課題」の項の４で指摘した問題点を解決することができる。
なお、外周排水路６を構成する排水溝６Ａ１、外方突縁６Ａ２及び内方突縁６Ａ３の寸法は、実験等によって適宜求める必要があり、また、排水溝６Ａ１の中に僅かに漏水が残っても、通気層５の換気効果でいずれ蒸発して問題は生じない。
【００２８】
また、外周排水路６を構成する外方突縁６Ａ２及び内方突縁６Ａ３を、図３４、図３５に示すように、上面を排水溝６Ａ１に向かって水勾配に構成した第１種外方突縁６Ａ２１及び第１種内方突縁６Ａ３１とすることで、水平切断面の排水効果をより向上させることができる。
第１種外方突縁６Ａ２１及び第１種内方突縁６Ａ３１は、上面が水平な外方突縁６Ａ２及び内方突縁６Ａ３に比べて複雑な加工になるが、第１種外方突縁６Ａ２１及び第１種内方突縁６Ａ３１は一律な断面の加工であるため、工場における通気層付き断熱複合パネル１の四周の切断時に、押しつぶす、削り落とすといった方法で同時に加工することも容易であり、当該部位が現場切断面で発生しても、通気層用突起３の材質が柔らかい場合は、紙やすりで外周排水路６の上をなぞるといった単純な作業で加工することもできる。
【００２９】
次に、外周排水路６の縦目地における防水効果を図３１を使って説明する。
通気層付き断熱複合パネル１の四周木口面に一律に外周排水路６が施されていることから、通気層付き断熱複合パネル１を任意の位置で切断した際に、水溜り部６Ａ５が発生しても、排水溝６Ａ１が水溜り部６Ａ５の水抜穴６Ａ６として機能させることができ、「発明が解決しようとする課題」の項の５で指摘した問題点を解決することができる。
以上、通気層付き断熱複合パネル１の相互の目地における外周排水路６の必要性、機能を説明した。
外周排水路６の加工方法は、一定の幅、深さの溝を加工するだけの単純なものであり、型枠大工などの現場作業者の多くが持っている一般的な加工器具の電動丸ノコに同器具付属のガイドを取付け、指定した位置に一定深さのノコ目を入れることで簡単に現場で処理することもできる。
よって、基本的には工場加工で施される通気層付き断熱複合パネル１の外周排水路６を、現場で不意に発生した通気層付き断熱複合パネル１の現場切断箇所に対して容易に行うことができる。
【００３０】
次に、外周排水路６の他の実施例について説明する。
【００３１】
１）第１種外周排水路６Ｂの場合
通気層５は厚くするほど通気性能を向上させることができる。よって、通気層付き断熱複合パネル１に設定する通気量が大きい場合、通気層用突起３の厚さを厚くして通気層５を厚く造ることも考えられ、この場合には外周排水路６に代えて、図３６、図３７に示すように、排水溝６Ｂ１が２本設けられた第１種外周排水路６Ｂの形状とすることができる。
横目地における第１種外周排水路６Ｂの外方突縁６Ｂ２及び内方突縁６Ｂ３の幅は、排水溝６Ｂ１に水を落下させるために一定の薄さが必要であり、現場加工による外周排水路の加工を想定し、現場加工器具を電動丸ノコとすれば、排水溝６Ｂ１の幅も電動丸ノコの刃の厚さ程度の薄さにしかできないため、通気層用突起３の厚さを厚くする場合は、中央突縁６Ｂ４の幅で調整することになり第１種外周排水路６Ｂの形状が発生する。
そして、第１種外周排水路６Ｂの場合、中央突縁６Ｂ４の上面に上部の通気層用突起３の中央溝３Ａ１から漏水が滴下して溜まっても、垂直面と離れた位置にあるため防水上の支障が無く、一定量溜まると左右の排水溝６Ｂ１に落ちて下方に排水される。
なお、現場加工及び現場加工器具にこだわらない場合はこの限りではなく、中央突縁６Ｂ４をすべて削り落とし、図３３に示した外周排水路６における排水溝６Ａ１の幅が広くなったものとしてもよい。
また、第１種外周排水路６Ｂは、外周排水路６と同様の外方突縁６Ｂ２、内方突縁６Ｂ３を持つため、図３４、図３５に示した第１種外方突縁６Ａ２１及び第１種内方突縁６Ａ３１と同様に、外方突縁６Ｂ２、内方突縁６Ｂ３の上面を排水溝６Ｂ１に向かって水勾配に構成してもよい。
【００３２】
２）第２種外周排水路６Ｃ、第３種外周排水路６Ｄの場合                                                    
前記した外周排水路６、第１種外周排水路６Ｂでは、断熱板２に隣接する内方突縁及び外装板４に隣接する外方突縁が設けられており、これは断熱板２及び外装板４から排水溝内の漏水を空間的に分離することを意図していた。
しかし、通気層５の内部の防水の重要性を特に目地部分に置き、外周排水路６、第１種外周排水路６Ｂのそれぞれの内方突縁及び外方突縁の上部が十分薄く水が溜まり難いとはいえ、ほんの僅かでも溜まることが心配な場合は、それぞれの外周排水路を構成する内方突縁及び外方突縁を省略して、図３８、図３９に示す、排水溝６Ｃ１を断熱板２及び外装板４に隣接して２本設け、２本の排水溝６Ｃ１に挟まれた部分を中央突縁６Ｃ２とする、第２種外周排水路６Ｃの形状とすることができる。
この場合、上部の通気層用突起３の機能によって、垂直面から引き離した漏水を再び垂直面に戻してしまうことになるが、水平切断面は躯体まで連通した断熱板２の相互の横目地に接している防水上重要な箇所であることから優先順位が高くこのような加工も必要な場合がある。
また、現場加工及び現場加工器具にこだわらない場合は、第２種外周排水路６Ｃにおいて、中央突縁６Ｃ２をそっくり削り落とした、図４０、図４１に示す、第３種外周排水路６Ｄの形状とすることができる。
【００３３】
３）通気層付き断熱複合パネル１の相互の目地をやといさね継ぎとする場合
従来、外装板と断熱板を貼り合わせた断熱複合パネルの目地の納まりには、やといさね継ぎという仕様があり、これは、断熱複合パネルの四周木口面の外装板の裏面に所定寸法の溝加工を刻設し、断熱複合パネル相互の溝加工部分に薄板を挟みながら、断熱複合パネルを施工する方法である。
そして、このやといさね継ぎを通気層付き断熱複合パネル１で行う場合については、外周排水路６を例に取り、下記のように行う。
図４２、図４３に示すように、やといさね継ぎに用いる薄板６Ｅ１を挿入する溝加工６Ｅ２を外装板４の裏面に隣接して設けると共に、溝加工６Ｅ２に隣接して排水溝６Ａ１、内方突縁６Ａ３を順に設ける断面形状とする。
これは外周排水路６における外方突縁６Ａ２の部分に、やといさね継ぎに用いる薄板６Ｅ１を挿入する溝加工６Ｅ２を施したものに同様の形状であり、前述した第１種外周排水路６Ｂ、第２種外周排水路６Ｃ、第３種外周排水路６Ｄにおいても同様に、外装板４の裏面に隣接して薄板６Ｅ１を挿入する溝加工６Ｅ２を施せばよく、外周排水路における防水効果に支障は生じない。
以上、通気層付き断熱複合パネル１の相互の横目地及び縦目地における、防水上の問題点を解決する外周排水路６の機能及び加工方法とその他の実施例を示した。
外周排水路による通気層付き断熱複合パネル１における相互の接合部の防水性を確保する方法は、電動丸ノコ程度の器具でできる簡単な溝加工（一律の幅及び深さの溝）を通気層付き断熱複合パネル１の四周に行うことにより、簡単であるが極めて実用的な範囲で「発明が解決しようとする課題」の項の４〜５で指摘した問題点を解決することを基本としており、外周排水路６の加工方法は、図示してきた形状の他にも、それらを組み合わせた異なる形状も容易に想像でき、決して図示のものに限定されるものではない。
【００３４】
以上の通り、通気層付き断熱複合パネル１の通気層５を構成する、防水性能向上に好適な形状の通気層用突起３及び通気層付き断熱複合パネル１の相互の接合部における防水性を担保する外周排水路６について説明した。
これらによって、防水性能を向上させる通気層付き断熱複合パネル１を製造できるようになる。
なお、通気層用突起３及び外周排水路６の加工形状は、前記図１〜図４に示したような従来技術の通気層用突起にも応用できるものである。
【００３５】
また、現在は産業廃棄物の縮減が叫ばれており、リサイクルの観点からも建設廃材の分別解体が進められている状況にあり、通気層付き断熱複合パネル１のように複合化した材料は、施工性には優れていても分別しづらいため敬遠されることもある。
よって、通気層付き断熱複合パネル１を複合化せずに、通気層用突起３及び外周排水路６を加工した断熱板２を単独で、解体時に剥がし易い後張り工法で施工し、その上から外装板４をビス留めするといった分離施工することも、通気層用突起３や外周排水路６が持つ防水効果を阻害するものではないため可能にできる。
【実施例１】
【００３６】
実施例１について図４５を参照して説明する。
まず、施工に用いる通気層付き断熱複合パネル１を製造する。
通気層付き断熱複合パネル１の製造に当たって断熱板２に厚さ６０ｍｍ×幅９２３ｍｍ×長さ２７４０ｍｍのビーズ法ポリスチレンフォーム板状材を用い、側面が凸状のルーターで深さ１０ｍｍ削り落とし、正面形状が菱形で側面形状が突起排水路３Ａの通気層用突起３を断熱板２に加工した。
なお、加工した通気層用突起３及び突起排水路３Ａの具体的な形状及び配列は、菱形一辺の長さ７５ｍｍ、通気層用突起３の総厚さ１０ｍｍ、突起排水路３Ａの中央溝３Ａ１の幅は３．５ｍｍ、深さ１ｍｍ、外方突縁３Ａ２及び内方突縁３Ａ３の幅は３．２５ｍｍ、中央溝３Ａ１に向かって施す水勾配角度を１７．１度、そして、通気層用突起３の配列は、図８に示す距離３Ｌ１を４０ｍｍとした。
次に、通気層用突起３の表面に接着剤を塗布し、サイズに伸びを持ち、不燃材で両面が平滑な厚さ１３ｍｍの外装板４を貼り付け、プレス機でプレス後、１日養生して、防水性向上に好適形状の通気層用突起３で通気層５を形成する、総厚７３ｍｍの通気層付き断熱複合パネル１の原板を製造した。
そして、製造された通気層付き断熱複合パネル１の原板を、施工建物の割付図に応じて寸法決めし、四方をカットしてパネル化したが、そのカット時に、外周排水路６を通気層付き断熱複合パネル１の四周木口に現れる通気層用突起３の切断面に同時に加工した。
これによりこのパネルは天地又は左右の方向性を持たない通気層付き断熱複合パネル１とすることができた。
なお、加工した外周排水路６の具体的な形状は、排水溝６Ａ１の幅を３ｍｍ、深さを６ｍｍ、外方突縁６Ａ２及び内方突縁６Ａ３の幅を３．５ｍｍとした。
【００３７】
次に、図４５に示すように、以上のように製造した通気層付き断熱複合パネル１を外壁型枠の屋外側のせき板代わりに使い、返し型枠は通常の合板型枠として建込み、同時打込工法で施工した。
なお、通気層付き断熱複合パネル１を建込む際、通気層付き断熱複合パネル１の断熱板２の相互の接合部の内、横目地には厚さ５ｍｍ、幅５０ｍｍの発泡ポリスチレン製の横目地パネルバックアップ材７、縦目地には厚さ５ｍｍ、幅５０ｍｍの発泡ポリスチレン製の縦目地パネルバックアップ材８をはさんでおり、ベランダのＲＣ片持ち梁部分など、パネル型枠と一般型枠が取り合い、通気層付き断熱複合パネル１における木口の通気層５の内部に打設時のコンクリートが浸入する箇所には、あらかじめテープ処理を行いノロ漏れ防止措置を行っており、建込みに用いた支保工は一般的なものを使用している。
コンクリート養生後、返し型枠、支保工を取り外し、開口部建具額縁の施工後、火災時の脱落防止金物となる長さ１３０ｍｍのコンクリートアンカーを１ｍ2 当たり３本施工した。
なお、コンクリートアンカー施工に先立ち、ドリルで躯体に深さ４０ｍｍの下穴を削穴し、外装板４の表面には座堀ドリルを使用して、深さ３ｍｍのコンクリートアンカーのビス頭の座堀加工を行っている。
そして、外装板４の表面にはモルタル系外装仕上材を左官仕上で施工した。この時、通気層付き断熱複合パネル１の相互の外装板４の目地及びコンクリートアンカーのビス頭部分を合わせて塗りつぶしている。
この結果、通気層工法併用外断熱工法が、通気層付き断熱複合パネル１による同時打込工法で施工できた。
加えて、目地の仕上材が切れ、その隙間からの通気層５の内部への漏水があったが、その漏水は通気層用突起３に施された突起排水路３Ａにより、止水されて躯体側へ廻ることなく、同時に通気層付き断熱複合パネル１の相互の横目地も外周排水路６による防水効果が発揮された。
【実施例２】
【００３８】
実施例２について図４６を参照して説明する。
実施例１で製造した通気層付き断熱複合パネル１を同様に用い、図４６に示すように、通気層付き断熱複合パネル１を既存の鉄筋コンクリート外壁１２に後張り工法で施工した。
この通気層付き断熱複合パネル１を開口部建具額縁、吸気口水切金物を先行して取り付けた鉄筋コンクリート外壁１２に、通気層付き断熱複合パネル１の裏面に１ｍ2 当たり７点、１点当たり３０グラムのコンクリートボンド１３を点付けで塗布し、通気層付き断熱複合パネル１の断熱板２の相互の接合部の内、横目地には厚さ５ｍｍ、幅５０ｍｍの発泡ポリスチレン製の横目地パネルバックアップ材７、縦目地には厚さ５ｍｍ、幅５０ｍｍの発泡ポリスチレン製の縦目地パネルバックアップ材８を挟みながら、長さ１３０ｍｍのコンクリートアンカー１４を１ｍ2 当たり３本施工して、不陸調整を行いながら通気層付き断熱複合パネル１をしっかり留めつけた。
なお、コンクリートアンカー１４の施工に先立ち、ドリルで躯体に深さ４０ｍｍの下穴を削穴し、外装板４の表面には座堀ドリルを使用して、深さ３ｍｍのコンクリートアンカー１４のビス頭の座堀加工を行っている。
そして、外装板４の表面にはモルタル系外装仕上材１５を左官仕上で施工した。この時、通気層付き断熱複合パネル１の相互の外装板４の目地及びコンクリートアンカー１４のビス頭部分を合わせて塗りつぶしている。
この結果、通気層工法併用外断熱工法が、通気層付き断熱複合パネル１による後張り工法で施工できた。
加えて、目地の仕上材が切れ、その隙間からの通気層５の内部への漏水があったが、その漏水は通気層用突起３に施された突起排水路３Ａにより、止水されて躯体側へ廻ることなく、同時に通気層付き断熱複合パネル１の相互の横目地も外周排水路６による防水効果が発揮された。
【実施例３】
【００３９】
実施例３について図４７、図４８を参照して説明する。
施工に先立ち、図４４に示した、排水目地バックアップ材１０をφ１ｍｍのステンレス線鋼を使用し、外径φ９ｍｍ×長さ１８２０ｍｍのコイル状で製造した。
そして、実施例１で製造した通気層付き断熱複合パネル１を同様に用い、図４７、図４８に示すように、外壁型枠の屋外側のせき板代わりに使い、返し型枠は通常の合板型枠として同時打込工法で施工した。
なお、通気層付き断熱複合パネル１を建込む際、通気層付き断熱複合パネル１の断熱板２の相互の接合部の内、横目地には厚さ１０ｍｍ、幅５０ｍｍの発泡ポリスチレン製の横目地パネルバックアップ材７を、縦目地には厚さ１０ｍｍ、幅６３ｍｍの発泡ポリスチレン製の縦目地パネルバックアップ材８を、横方向の横目地パネルバックアップ材７を勝たせてはさんでおり、ベランダのＲＣ片持ち梁部分など、通気層付き断熱複合パネル１と一般型枠が取り合い、通気層付き断熱複合パネル１における木口の通気層５の内部に打設時のコンクリートが浸入する箇所には、あらかじめテープ処理を行いノロ漏れ防止措置を行っており、建込みに用いた支保工は一般的なものを使用している。
そして、コンクリート養生後、返し型枠、支保工を取り外し、開口部建具額縁の施工後、火災時の脱落防止金物となる長さ１３０ｍｍのコンクリートアンカー１４を１ｍ2 当たり３本施工した。
なお、コンクリートアンカー１４の施工に先立ち、ドリルで躯体に深さ４０ｍｍの下穴を削穴し、外装板４の表面には座堀ドリルを使用して、深さ３ｍｍのコンクリートアンカー１４のビス頭の座堀加工を行っている。
この後、施工したコンクリートアンカーのビス頭を、二液性エポキシ系パテ材１６で補修した。
次に、外装板４の目地に、排水目地バックアップ材１０を挿入し、その後、厚さ３ｍｍの片面糊付きの発泡ポリエチレン製のシーリングバックアップ材１１を挿入し、外装板４の木口にプライマーを塗り、二液性変性シリコーン系シーリング材９により、１０×１０ｍｍの目地シーリングを施工した。
続けてシーリング材９の硬化後、外装板４の表面に複層弾性塗材を塗布し外装板４の仕上げとした。
この結果、外装板４の相互の目地にシーリング材９を設ける通気層工法併用外断熱工法が、通気層付き断熱複合パネル１の同時打込工法で施工できた。
加えて、目地シーリングの一部が切れ、その隙間からの通気層５の内部への漏水があったが、その水は通気層用突起３に施された突起排水路３Ａにより、止水されて躯体側へ廻ることなく、排水目地バックアップ材１０も通気層５の通気及び排水の連続性を阻害せず、同時に通気層付き断熱複合パネル１の相互の目地も外周排水路６による防水効果が発揮された。
【実施例４】
【００４０】
実施例４について図４９、図５０を参照して説明する。
実施例１で製造した通気層付き断熱複合パネル１と実施例３で製造した排水目地バックアップ材１０を同様に用い、図４９、図５０に示すように、通気層付き断熱複合パネル１を既存の鉄筋コンクリート外壁１２に後張り工法で施工した。
この通気層付き断熱複合パネル１を開口部建具額縁、吸気口水切金物を先行して取り付けた鉄筋コンクリート外壁１２に、通気層付き断熱複合パネル１の裏面に１ｍ2 当たり７点、１点当たり３０グラムのコンクリートボンド１３を点付けで塗布し、長さ１３０ｍｍのコンクリートアンカー１４を１ｍ2 当たり３本施工して、不陸調整を行いながら通気層付き断熱複合パネル１をしっかり留めつけた。
なお、通気層付き断熱複合パネル１を張ってゆく際、通気層付き断熱複合パネル１の断熱板２の相互の接合部の内、横目地には厚さ１０ｍｍ、幅５０ｍｍの発泡ポリスチレン製の横目地パネルバックアップ材７を、縦目地には厚さ１０ｍｍ、幅６３ｍｍの発泡ポリスチレン製の縦目地パネルバックアップ材８を、横目地パネルバックアップ材７を勝たせてはさんでおり、コンクリートアンカー１４の施工に先立っては、ドリルで躯体に深さ４０ｍｍの下穴を削穴し、外装板４の表面には座堀ドリルを使用して、深さ３ｍｍのコンクリートアンカー１４のビス頭の座堀加工を行っている。
この後、施工したコンクリートアンカー１４のビス頭を、二液性エポキシ系パテ材１６で補修した。
次に、外装板４の目地に、排水目地バックアップ材１０を挿入し、その後、厚さ３ｍｍの片面糊付きの発泡ポリエチレン製のシーリングバックアップ材１１を挿入し、外装板４の木口にプライマーを塗り、二液性変性シリコーン系シーリング材９により、１０×１０ｍｍの目地シーリングを施工した。続けてシーリング材９の硬化後、外装板４の表面に複層弾性塗材を塗布し外装板４の仕上げとした。
この結果、外装板４の相互の目地にシーリング材９を設ける通気層工法併用外断熱工法が通気層付き断熱複合パネルの後張り工法で施工できた。加えて、目地シーリングの一部が切れ、その隙間からの通気層５の内部への漏水があったが、その水は通気層用突起３に施された突起排水路３Ａにより、止水されて躯体側へ廻ることなく、排水目地バックアップ材１０も通気層５の通気及び排水の連続性を阻害せず、同時に通気層付き断熱複合パネル１の相互の目地も外周排水路６による防水効果が発揮された。
【図面の簡単な説明】
【００４１】
【図１】従来の凹凸をもつ断熱板に外装板を貼った通気層付き断熱複合パネルを説明する一部を切欠いた斜視図である。
【図２】従来の通気層付き断熱複合パネルを説明する一部を切欠いた斜視図である。
【図３】従来の通気層付き断熱複合パネルを説明する一部を切欠いた斜視図である。
【図４】従来の凹凸をもつ断熱板に外装板を貼った通気層付き断熱複合パネルを説明する一部を切欠いた斜視図である。
【図５】在来パネルの施工上の問題点を説明する一部を切欠いた斜視図である。
【図６】通気層付き断熱複合パネルを説明する一部を切欠いた斜視図である。
【図７】通気層付き断熱複合パネルの施工状態を説明する一部を切欠いた斜視図である。
【図８】通気層用突起の配列を説明する通気層付き断熱複合パネルの一部を切欠いた正面図である。
【図９】同上の平面図である。
【図１０】図８の右側面図である。
【図１１】通気層用突起における突起排水路を説明する斜視図である。
【図１２】突起排水路を有する通気層用突起を説明する正面図である。
【図１３】同上の施工状態を示す平面図である。
【図１４】図１２の施工状態を示す右側面図である。
【図１５】第１種突起排水路を有する通気層用突起を説明する正面図である。
【図１６】同上の施工状態を示す平面図である。
【図１７】図１５の施工状態を示す右側面図である。
【図１８】第２種突起排水路を有する通気層用突起を説明する正面図である。
【図１９】同上の施工状態を示す平面図である。
【図２０】図１８の施工状態を示す右側面図である。
【図２１】第３種突起排水路を有する通気層用突起を説明する正面図である。
【図２２】同上の施工状態を示す平面図である。
【図２３】図２１の施工状態を示す右側面図である。
【図２４】第４種突起排水路を有する通気層用突起を説明する正面図である。
【図２５】同上の施工状態を示す平面図である。
【図２６】図２４の施工状態を示す右側面図である。
【図２７】第２種通気層用突起を説明する正面図である。
【図２８】同上の施工状態を示す平面図である。
【図２９】図２７の施工状態を示す右側面図である。
【図３０】図２７における要部の斜視図である。
【図３１】外周排水路の使用状態を説明する一部を切欠いた要部拡大斜視図である。
【図３２】外周排水路の施工状態を説明する一部を切欠いた要部拡大斜視図である。
【図３３】同上の縦断面図である。
【図３４】外周排水路の他の実施例の施工状態を説明する一部を切欠いた要部拡大斜視図である。
【図３５】同上の縦断面図である。
【図３６】第１種外周排水路の施工状態を説明する一部を切欠いた要部拡大斜視図である。
【図３７】同上の縦断面図である。
【図３８】第２種外周排水路の施工状態を説明する一部を切欠いた要部拡大斜視図である。
【図３９】同上の縦断面図である。
【図４０】第３種外周排水路の施工状態を説明する一部を切欠いた要部拡大斜視図である。
【図４１】同上の縦断面図である。
【図４２】やといさね継ぎを使用する場合の使用状態を説明する一部を切欠いた要部拡大斜視図である。
【図４３】同上の縦断面図である。
【図４４】排水目地バックアップ材を使用する場合の施工状態を説明する一部を切欠いた要部拡大斜視図である。
【図４５】実施例１の施工方法を説明する縦断面図である。
【図４６】実施例２の施工方法を説明する縦断面図である。
【図４７】実施例３の施工方法を説明する縦断面図である。
【図４８】実施例３の施工方法を説明する横断面図である。
【図４９】実施例４の施工方法を説明する縦断面図である。
【図５０】実施例４の施工方法を説明する横断面図である。
【図５１】通気層付き断熱複合パネルの製造方法の他の実施例を示す縦断面図である。
【符号の説明】
【００４２】
１  通気層付き断熱複合パネル
２  断熱板
３  通気層用突起
３Ａ  突起排水路
３Ａ１  中央溝
３Ａ２  外方突縁
３Ａ３  内方突縁
３Ｂ  第１種突起排水路
３Ｂ１  突出縁
３Ｃ  第２種突起排水路
３Ｃ１  突出縁
３Ｄ  第３種突起排水路
３Ｄ１  突出縁
３Ｅ  第４種突起排水路
３Ｅ１  斜面
３Ｆ  第２種通気層用突起
３Ｆ１  突起
３Ｌ１  距離
３Ｌ２  距離
３Ｌ３  角部
３Ｌ４  漏水の移動経路
３Ｌ５  距離
４  外装板
５  通気層
６  外周排水路
６Ａ１  排水溝
６Ａ２  外方突縁
６Ａ２１  第１種外方突縁
６Ａ３  内方突縁
６Ａ３１  第１種内方突縁
６Ａ４  漏水
６Ａ５  水溜り部
６Ａ６  水抜穴
６Ｂ  第１種外周排水路
６Ｂ１  排水溝
６Ｂ２  外方突縁
６Ｂ３  内方突縁
６Ｂ４  中央突縁
６Ｃ  第２種外周排水路
６Ｃ１  排水溝
６Ｃ２  中央突縁
６Ｄ  第３種外周排水路
６Ｅ１  薄板
６Ｅ２  溝加工
７  横目地パネルバックアップ材
８  縦目地パネルバックアップ材
９  シーリング材
１０  排水目地バックアップ材
１１  シーリングバックアップ材
１２  鉄筋コンクリート外壁
１３  コンクリートボンド
１４  コンクリートアンカー
１５  モルタル系外装仕上材
１６  パテ材
１７  樹脂シート
【図１】
2005188050.tif 000003
【図２】
2005188050.tif 000004
【図３】
2005188050.tif 000005
【図４】
2005188050.tif 000006
【図５】
2005188050.tif 000007
【図６】
2005188050.tif 000008
【図７】
2005188050.tif 000009
【図８】
2005188050.tif 000010
【図９】
2005188050.tif 000011
【図１０】
2005188050.tif 000012
【図１１】
2005188050.tif 000013
【図１２】
2005188050.tif 000014
【図１３】
2005188050.tif 000015
【図１４】
2005188050.tif 000016
【図１５】
2005188050.tif 000017
【図１６】
2005188050.tif 000018
【図１７】
2005188050.tif 000019
【図１８】
2005188050.tif 000020
【図１９】
2005188050.tif 000021
【図２０】
2005188050.tif 000022
【図２１】
2005188050.tif 000023
【図２２】
2005188050.tif 000024
【図２３】
2005188050.tif 000025
【図２４】
2005188050.tif 000026
【図２５】
2005188050.tif 000027
【図２６】
2005188050.tif 000028
【図２７】
2005188050.tif 000029
【図２８】
2005188050.tif 000030
【図２９】
2005188050.tif 000031
【図３０】
2005188050.tif 000032
【図３１】
2005188050.tif 000033
【図３２】
2005188050.tif 000034
【図３３】
2005188050.tif 000035
【図３４】
2005188050.tif 000036
【図３５】
2005188050.tif 000037
【図３６】
2005188050.tif 000038
【図３７】
2005188050.tif 000039
【図３８】
2005188050.tif 000040
【図３９】
2005188050.tif 000041
【図４０】
2005188050.tif 000042
【図４１】
2005188050.tif 000043
【図４２】
2005188050.tif 000044
【図４３】
2005188050.tif 000045
【図４４】
2005188050.tif 000046
【図４５】
2005188050.tif 000047
【図４６】
2005188050.tif 000048
【図４７】
2005188050.tif 000049
【図４８】
2005188050.tif 000050
【図４９】
2005188050.tif 000051
【図５０】
2005188050.tif 000052
【図５１】
2005188050.tif 000053